(57)【要約】操作可能な分配用組立体を本質的に垂直な壁に取り付けるための分配用組立体壁ブラケットを提供する。ブラケットは垂直表面に固定可能な基部（３２）を含み、基部は、基部が垂直表面に固定されると実質的に垂直表面と平行になる平面（３８）を画定する。管継手（４４）が基部に固定され、入口（４６）と出口（４８）とを有する。入口は前記平面に実質的に平行な軸を画定し、出口は入口軸と交差する軸を画定する。少なくとも１つの支持アーム（７３、７４、７５）が基部から延在し、近位端部と遠位端部とを有し、近位端部は基部に固定されている。入れ物が支持アームの遠位端部によって支持され、前記出口軸と整列しており、入れ物の中に受け入れられた入口を有する分配用組立体が、分配用組立体の入口を管継手の出口に連結するために位置付けられている。
2006507916.tif 000002
【特許請求の範囲】
【請求項１】
操作可能な分配用組立体を本質的に垂直な壁に取り付けるための分配用組立体壁ブラケットであって、
垂直表面に固定可能な基部であって、基部が垂直表面に固定されると実質的に垂直表面と平行になる平面を画定する、基部と、
前記基部に固定された管継手であって、少なくとも１つの入口と少なくとも１つの出口とを有し、前記入口は前記平面に実質的に平行な軸を画定し、前記出口は前記入口軸と交差する軸を画定する、管継手と、
前記基部から延在しており、近位端部および遠位端部を有し、前記近位端部は前記基部に固定されている、少なくとも１つの支持アームと、
前記支持アームの遠位端部によって支持され、前記出口軸と整列している入れ物であって、前記入れ物の中に受け入れられた入口を有する分配用組立体が、分配用組立体の入口を前記管継手の出口に連結するために位置付けられる、入れ物と
を備えた分配用組立体壁ブラケット。
【請求項２】
前記入れ物が円筒形である、請求項１に記載の分配用組立体壁ブラケット。
【請求項３】
前記管継手が第２出口を含む、請求項１に記載の分配用組立体壁ブラケット。
【請求項４】
分配用組立体を前記出口に密封式に連結するために、前記出口に密封式に連結された連結部材を含む、請求項１に記載の分配用組立体壁ブラケット。
【請求項５】
前記出口が連結部材に連結するための外側ネジ山を含む、請求項１に記載の分配用組立体壁ブラケット。
【請求項６】
前記管継手の入口が流体源に連結するための外側ネジ山を含む、請求項１に記載の分配用組立体壁ブラケット。
【請求項７】
前記出口軸が前記平面と非直角の角度を画定する、請求項１に記載の分配用組立体壁ブラケット。
【請求項８】
前記基部が垂直表面と係合可能な少なくとも１つの取付けパッドを含む、請求項１に記載の分配用組立体壁ブラケット。
【請求項９】
少なくとも２つの支持アームが前記基部から延在し、前記出口へのアクセスを可能にするフレーム開口部を画定するフレームを形成する、請求項１に記載の分配用組立体。
【請求項１０】
前記管継手が前記基部の不可分な部分として形成されている、請求項１に記載の分配用組立体。
【請求項１１】
操作可能な分配用組立体を本質的に垂直な壁に取り付けるための分配用組立体壁ブラケットであって、
垂直表面に固定可能な基部であって、垂直表面と係合可能な少なくとも１つの取付けパッドを有し、前記取付けパッドは、前記基部が垂直表面に固定されると実質的に垂直表面と平行になる平面を画定する、基部と、
前記基部に固定された管継手であって、入口と供給出口と連結用出口とを有し、前記入口は前記平面に実質的に平行な軸を画定し、前記供給出口は前記入口軸と交差する軸を画定する、管継手と、
分配用組立体を前記出口に密封式に連結するために、前記出口に密封式に連結された連結部材と、
前記基部から延在しており、前記出口へのアクセスを可能にするフレーム開口部を画定するフレームを形成する少なくとも２つの支持アームであって、前記支持アームの少なくとも１つは近位端部および遠位端部を有し、前記近位端部は前記基部に固定されている、少なくとも２つの支持アームと、
前記支持アームの遠位端部によって支持され、前記出口軸と整列している入れ物であって、前記入れ物の中に受け入れられた入口を有する分配用組立体が、分配用組立体の入口を前記管継手の出口に連結するために位置付けられる、入れ物と
を備えた分配用組立体壁ブラケット。
【請求項１２】
複数の操作可能な分配用組立体を本質的に垂直な表面に取り付けるための装置であって、
第１壁ブラケットであって、分配用組立体をその上に取り付けるための入れ物と管継手とを有し、前記管継手は流体源に連結可能な入口と、流体を分配用組立体に供給するための供給出口と、連結用出口とを有する、第１壁ブラケットと、
第２壁ブラケットであって、分配用組立体をその上に取り付けるための入れ物と管継手とを有し、前記管継手は流体源に連結可能な入口と、流体を分配用組立体に供給するための供給出口とを有する、第２壁ブラケットと、
前記第２壁ブラケットの上に取り付けられた分配用組立体に流体を供給するために、前記連結用出口を出る流体が前記第２壁ブラケット入口に向かうように、前記連結用出口と前記第２壁ブラケット入口とを連結する流体導管と
を備えた装置。
【請求項１３】
前記第１壁ブラケット入れ物が円筒形である、請求項１２に記載の装置。
【請求項１４】
分配用組立体を前記第１壁ブラケット供給出口に密封式に連結するために、前記第１壁ブラケット供給出口に密封式に連結された連結部材を含む、請求項１２に記載の装置。
【請求項１５】
前記の第１壁ブラケットが、
垂直表面に固定可能な基部であって、基部が垂直表面に固定されると実質的に垂直表面と平行になる平面を画定する、基部を備え、
前記管継手は前記基部に固定され、前記入口は前記平面に実質的に平行な軸を画定し、前記供給出口は前記入口軸に実質的に直角な軸を画定し、
前記の第１壁ブラケットはまた、
前記基部から延在しており、近位端部および遠位端部を有し、前記近位端部は前記基部に固定されている、少なくとも１つの支持アームを備え、
前記入れ物は前記支持アームの遠位端部によって支持され、前記出口軸と整列している、
請求項１２に記載の装置。
【請求項１６】
前記入口軸が前記平面と非直角な角度を画定する、請求項１５に記載の装置。
【請求項１７】
前記基部が垂直表面と係合可能な少なくとも１つの取付けパッドを含む、請求項１５に記載の装置。
【請求項１８】
少なくとも２つの支持アームが前記基部から延在して、前記出口へのアクセスを可能にするフレーム開口部を画定するフレームを形成する、請求項１５に記載の装置。
【請求項１９】
前記第１壁ブラケットの管継手が前記基部の不可分な部分として形成されている、請求項１５に記載の分配用組立体。
【発明の詳細な説明】
【技術分野】
【０００１】
本発明は壁ブラケットに関し、特に流体分配用組立体と共に使用するための壁ブラケットに関する。
【背景技術】
【０００２】
水と混合された化学濃縮物を分配する分配用組立体は、通常、濃縮物を入れた容器と、ボトルに固定されたバルブ組立体とを含む。例えばバルブ組立体に連結されたホースによって供給される加圧された水が、バルブ組立体を通って流れ、濃縮物をバルブ組立体の中に引き入れ、バルブ組立体は水と濃縮物とを所定の比率で混合する。水と濃縮物との流れはノズルを通ってバルブ組立体から出るが、ノズルを、混合物のミストを大気中に噴霧するため、また混合物を別の容器の中に移すなどのために設計することができる。
【０００３】
分配用組立体はしばしば、別の容器を混合物で満たすために使用される。別の容器を満たすことは、バルブ組立体を出る混合物が別の容器の中に向けられるように、分配用組立体を持ち上げるか、管類または他のホースを分配用組立体の流出口に取り付けることをしばしば必要とする。したがって、操作を容易にするために操作可能な分配用組立体を床上のある距離に維持することが望ましい。
【０００４】
１つの設備が、バケットおよびその他の容器を希釈された混合物で満たすために使用される複数の分配用組立体を有することもできる。複数の分配用組立体が各々個別のホースによって水の源泉に連結されている場合には、ホースは絡み合って折れ曲がる可能性があり、この影響で分配用組立体の操作性が低下する。したがって、順序正しい様式で複数の分配用組立体を供給するための手段が必要である。
【発明の開示】
【発明が解決しようとする課題】
【０００５】
本発明の目的は、操作可能な分配用組立体を本質的に垂直な壁に取り付けるための、分配用組立体壁ブラケットを提供することである。
【課題を解決するための手段】
【０００６】
ブラケットは、垂直表面に固定可能な基部を含み、基部が垂直表面に固定されると実質的に垂直表面と平行になる平面を画定する。管継手が基部に固定され、これは入口と出口とを有する。入口は平面に実質的に平行な軸を画定し、出口は入口軸と交差する軸を画定する。少なくとも１つの支持アームが基部から延在しており、基部に固定された近位端部および遠位端部を有する。入れ物が支持アームの遠位端部によって支持され、出口軸と整列し、入れ物の中に受け入れられた入口を有する分配用組立体は、分配用組立体の入口を管継手の出口に連結するために位置付けられる。
【０００７】
本発明の一般目的は、ブラケットに取り付けたままで操作可能な分配用組立体を支持する壁ブラケットを提供することである。この目的は、分配用組立体を支持することができ、かつ分配用組立体を操作するために分配用組立体を流体源に連結するための管継手を供給する少なくとも１つの支持アームを有する、壁ブラケットを提供することによって達成される。
【０００８】
本発明の別の目的は、分配用組立体に容易に連結可能な壁ブラケットを提供することである。この目的は、分配用組立体を流体源に連結するために分配用組立体の一部分を案内する入れ物を、壁ブラケットに設けることによって達成される。
【０００９】
本発明のさらに別の目的は、複数の操作可能な分配用組立体を供給するために連続して連結できる１つの組立体を提供することである。この目的は、あるいくつかの実施形態においては、別の壁ブラケットに連結するための追加の出口を与えることによって達成される。
【００１０】
本発明のこの目的、その他の目的、および利点は下記の説明から明らかになろう。下記の詳細な説明では、本発明の好ましい実施形態を添付の図面を参照して説明する。これらの実施形態は本発明の完全な範囲を示すものではなく、他の実施形態に本発明を適用することもできる。したがって、本発明の範囲を解釈するためには本明細書における特許請求の範囲を参照すべきである。
【発明を実施するための最良の形態】
【００１１】
図１を参照すると、壁などの垂直表面１２に取り付けられた壁ブラケット１０が、床の上方に分配用組立体１４を支持している。壁ブラケット１０は、水などの第１流体を、ディスペンサ組立体１４の一部を形成する容器１６の中に配置された濃縮物などの第２流体と混合するために、分配用組立体１４へ供給する。壁ブラケット１０は、使用が容易になるように分配用組立体１４に容易に連結し、分配用組立体１４から容易に取り外して、また図１ａに示すように、他の壁ブラケット１０と連続して連結されて、床の上方に支持された複数の分配用組立体１４に水を供給することができる。
【００１２】
分配用組立体１４は、バルブ組立体１８を通じて分配される濃縮物を保持するための容積を画定する容器１６を含む。バルブ組立体１８は容器１６に取り外し可能に固定され、剛体チューブ、フレキシブル・ホースなどの流体導管２０（図４に示す）によって加圧水の源泉に連結可能である。
【００１３】
容器１６は、濃縮物を保持するための容積を画定する当技術分野で知られているどのような容器であってもよく、この容積中の濃縮物にアクセスできるようにする開口部を有する。首状部が開口部から外向きに延在して、バルブ組立体１８を首状部に固定するようになっていることが好ましい。バルブ組立体１８を容器１６に容器開口部を覆って取り外し可能に固定するために、首状部はバルブ組立体１８の中に形成された内側ねじ山に係合する外側ねじ山を有することが、最も好ましい。
【００１４】
バルブ組立体１８はこれを通る通路を画定し、この通路の中で濃縮物と水とを混合する。バルブ組立体１８は、通路の一端部に配設された入口２２と通路の対向端部に配設されたノズル２４とを含むことが好ましい。入口２２は、水をバルブ組立体１８に供給する流体導管２０に密封式に連結され、濃縮物は、容器１６内の開口部を通って延在するチューブを経て通路に入る。通路の中に配設されたバルブ部材は、通路を通ってノズル２４から出る流体の流れを制御する。バルブ部材に機能的に連結されたトリガ２６が、バルブ部材を開位置と閉位置との間で動かすことによって、通路を通過する流体の流れを制御する。
【００１５】
図２〜６までに示すように、好ましい分配用組立体の壁ブラケット１０は、弧状物体３６によって連結された一対の取付けパッド３４を有する基部３２を含む。２つの取付けパッド３４は壁に係合し、基部３４が壁に取り付けられたときに実質的に壁に平行な平面３８を画定する。物体３６から平面３８の方に延在するリブ４０を設けて、分配用組立体１４をブラケット１０の中に取り付けるために物体３６の剛性を増すことができる。図２〜６には一対の取付けパッド３４が示されているが、図１に示すように弧状体の不可分な部分として形成された取付け板などの単一取付けパッド、または複数の取付けパッドを有する壁ブラケットも、本発明の範囲内にある。
【００１６】
パッド３４の中に形成された開口４２が、基部を壁に固定するためのボルト、ねじなどの留め金具を受け入れる。留め金具は開口４２を通って滑り、垂直表面に係合し、ブラケット１０を垂直表面に固定する。ボルトまたはねじを使用するブラケット１０の壁への固定を開示しているが、本発明の範囲から逸脱することなく、接着剤などを使用するなどのブラケットを壁に固定するための当技術分野で周知の他の方法を使用することもできる。
【００１７】
管継手４４が物体３６の全体の一部として形成され、水を分配用組立体１４に供給する。管継手４４は、入口４６と、分配用組立体供給出口４８と、連結用出口５０を有する。入口４６は水源と流体連絡状態にあり、供給出口４８は、ブラケット１０の中に取り付けたまま分配用組立体１４を操作するために、分配用組立体１４に連結し、連結用出口５０を別の管継手や分配用組立体に連結することができ、またはこれにキャップを被せることができる。物体３６の不可分な部分として管継手４４を形成することが好ましいが、管継手４４を、本発明の範囲から逸脱することなく、溶接、接着剤、ボルト締めなどの当技術分野で周知の方法を使用して物体３６に固定することができる。
【００１８】
入口４６は開口部５２を有する円筒形の短い突出部であり、平面３８に、したがって壁に、実質的に直角方向に延在する軸５４を画定する。入口４６は軸５４に沿って延在し、流体導管２０に連結するための外側ねじ山５６を含む。外側ねじ山５６が好ましいが、入口４６を、迅速交換式継手、ハード配管を使用するなどの当技術分野で周知の方法を使用して、流体導管２０に連結するように適合することができる。
【００１９】
分配用組立体の供給出口４８および連結用出口５０は、管継手出口４６と流体連絡状態にある。供給出口４８は水を分配用組立体１４に供給し、これは開口部５８を有する円筒形の短い突出部である。供給出口４８は、入口軸５４に実質的に直角に延在する軸６０を画定する。供給出口４８の上に形成された外側ねじ山６２は、分配用組立体１４に連結するために（図７〜９において参照番号６４で示されているものなどの）迅速交換式継手に係合する。供給出口軸６０が平面３８に直角ではない角度を画定することが好ましい。供給出口軸６０が、平面３８から延在する直角方向の線６１に対して０°より大きい角度Ａを画定することが最も好ましい。
【００２０】
連結用出口５０は開口部６６を有する円筒形の短い突出部であり（図３に示す）、取付けパッド３４によって画定された平面３８に実質的に平行な軸６８を画定する。入口４６および供給出口４８におけるように、外側ねじ山７０が連結用出口５０の上に形成されている。連結用出口５０は、流体源に連結されることもでき、そして連結用出口５０の位置が流体源への連結のためにさらに便利である場合には、管継手入口４６として作用することが有利である。２つの出口が開示されているが、本発明を実現するためには１つの入口と１つの出口が必要である。
【００２１】
迅速交換式継手６４は、供給出口の外側ねじ６２にねじ込み式に係合して、継手６４を供給出口４８に密封式に連結する。継手６４は、英国バッキンガムシア州のＨｏｚｅｌｏｃｋ社、バージニア州ウィンチェスタのＭｅｌｎｏｒ社などから入手可能なものなどの、市販のいずれの迅速交換式継手でもよい。継手６４は、分配用組立体１４が取り外されると継手６４を通る流体の流れを遮断するポップイット・バルブを含むことが好ましい。継手６４は、分配用組立体１４の中の第１流体が分配用組立体１４から継手６４を通って流れることを防止する逆流防止装置を含むことが最も好ましい。
【００２２】
半円筒形の入れ物７２が、上部支持アーム７４と、中間支持アーム７３と、基部３２から延在する一対の下部支持アーム７５とによって支持され、基部３２から離隔されている。入れ物７２は供給出口軸６０と同軸であり、分配用組立体１４を受け入れる。入れ物７２は、分配用組立体１４の一部分を受け入れて、継手６４によって供給出口４８に連結されながら、片持ち梁の構成で分配用組立体１４を支持するための大きさに作られていることが好ましい。半円筒形の入れ物を開示したが、入れ物を、円筒形、正方形、多角形などの、分配用組立体を受け入れることができる形状にすることもできる。
【００２３】
支持アーム７３、７４、７５は基部３２から延在して、継手６４の下流側で入れ物７２を支持する。上部支持アーム７３と中間支持アーム７４は供給出口４８の周りにフレームを形成し、フレーム開口部７６を画定することが好ましい。フレーム開口部７６は、分配用組立体１４を壁ブラケット１０から取り外すときに、継手６４の取り外し機構を作動させるために供給出口４８および継手６４へのアクセスを可能にする。支持アーム７５の少なくとも１つは、入れ物７２から片持ち梁式に取り付けられたときに分配用組立体１４に係合する係合表面７８を含むことが最も好ましい。複数の支持アーム７３、７４、７５を開示したが、本発明の範囲から逸脱することなく、入れ物を支持するためにどの個数の支持アームも準備することができる。
【００２４】
中間支持アーム７３から軸方向に延在する一対のフィンガ７７が、壁ブラケット１０に確保された分配用組立体１４に係合している。フィンガ７７は分配用組立体１４を安定化して、分配用組立体入口２２を入れ物７２の中に維持する。フィンガ７７が、分配用組立体１４に一部分を支えるため、および分配用組立体１４を壁ブラケット１０から不注意に取り外すことになるような分配用組立体の供給出口軸６０に対するある角度での捻りまたはその他の動きに抵抗するために、十分な距離で離隔されていることが好ましい。
【００２５】
使用する場合、壁ブラケット１０を、壁に対して取付けパッド３４を当接することによって壁に取り付ける。ブラケット１０を、パッド３４を通じて形成された開口４２を通じて滑るねじを使用して壁に固定する。迅速交換式継手６４をねじ込み式および密封式に供給出口４８に固定し、流体導管２０を、フレキシブル・ホースを水源と流体連絡状態で入口４６にねじ込み式および密封式に連結するなどによって、管継手入口４６に連結する。連結用出口５０からキャップを外して、連結用出口を第２壁ブラケットの入口と流体連絡状態に置くか、または汎用ホースに連結することができる。
【００２６】
壁ブラケット１０を壁に確実に取り付けて水源と流体連絡状態にして、分配用組立体１４を、ブラケット１０に取り付ける。分配用組立体１４を、継手６４がバルブ組立体１８を密封式にロックして水がバルブ組立体１８の中に流れることができるようにバルブ組立体入口２２が迅速交換式継手６４に係合するまで、壁ブラケット入れ物７２を通じてバルブ組立体入口２２を滑らせることによって、壁ブラケット１０に取り付ける。次に、分配用組立体１４は、バルブ組立体トリガ２６を作動することによって操作することができ、バルブ組立体トリガ２６がバルブ組立体１８を通ってノズル２４から出る水と濃縮物の流れを可能にすることが有利である。
【００２７】
分配用組立体１４は、迅速交換式継手６４をバルブ組立体入口２２から取り外すことによって壁ブラケット１０から除去される。継手６４が分配用組立体１４から取り外されると、バルブ組立体１８は供給出口軸方向に滑って入れ物７２から出る。
【００２８】
壁ブラケットを、本発明の範囲から逸脱することなく、さまざまな分配用組立体に適応するように変更することもできる。例えば、図７に示す壁ブラケット１０’が、分配用組立体１４’を邪魔することもある下部支持アームなしで設けられるか、または軽量分配用組立体を支持する必要はない。下部支持アーム７５’を、図８および９に示すようなさまざまな形状の分配用組立体容器１６’に係合するため、または図９に示すような分配用組立体ハンドル８０に適応させるために、変更することもできる。
【００２９】
壁ブラケットは本明細書に記載のようにいくつかの利点を使用者に提供する。分配用組立体は、分配用組立体に対する損傷または充てん中の使用者の疲労を防ぐために便利な位置で壁ブラケットに固定される。各壁ブラケットに、壁またはブラケットに貼られるラベルを使用してはっきりラベル付けを行い、容器を間違った製品で充てんする機会を減らすことができる。壁ブラケットを、高価な貯蔵所または作業所上部空間を使用することなく壁に取り付けることができ、床上の便利な距離に固定することができる。
【００３０】
現在好ましいと考えられる本発明の実施形態を示して説明したが、添付の請求項によって規定された本発明の範囲から逸脱することなく、実施形態においてさまざまな変更が可能であることは当業者には明白である。
【図面の簡単な説明】
【００３１】
【図１】本発明を具体化する、分配用組立体を支持する分配用組立体の壁ブラケットの斜視図である。
【図１Ａ】連続して連結された図１の２つの壁ブラケットを示す斜視図である。
【図２】本発明を具体化する分配用組立体の壁ブラケットの斜視図である。
【図３】図１の壁ブラケットの側面図である。
【図４】図１の壁ブラケットの底面図である。
【図５】図１の壁ブラケットの前面図である。
【図６】図５の線６−６に沿った断面図である。
【図７】本発明を具体化する分配用組立体の壁ブラケットの第２実施形態を示す側面図である。
【図８】本発明を具体化する分配用組立体の壁ブラケットの第３実施形態を示す側面図である。
【図９】本発明を具体化する分配用組立体の壁ブラケットの第４実施形態を示す側面図である。
【図１】
2006507916.tif 000003
【図１Ａ】
2006507916.tif 000004
【図２】
2006507916.tif 000005
【図３】
2006507916.tif 000006
【図４】
2006507916.tif 000007
【図５】
2006507916.tif 000008
【図６】
2006507916.tif 000009
【図７】
2006507916.tif 000010
【図８】
2006507916.tif 000011
【図９】
2006507916.tif 000012
【手続補正書】
【提出日】平成16年11月25日(2004.11.25)
【手続補正１】
【補正対象書類名】特許請求の範囲
【補正対象項目名】請求項１
【補正方法】変更
【補正の内容】
【請求項１】
操作可能な分配用組立体を本質的に垂直な表面に取り付けるための分配用組立体壁ブラケットであって、
垂直表面に固定可能な基部であって、基部が垂直表面に固定されると実質的に垂直表面と平行になる平面を画定する、基部と、
前記基部に固定された管継手であって、少なくとも１つの入口と少なくとも１つの出口とを有し、前記入口は前記平面に実質的に平行な軸を画定し、前記出口は前記入口軸と交差する軸を画定する、管継手と、
前記基部から延在しており、近位端部および遠位端部を有し、前記近位端部は前記基部に固定されている、少なくとも１つの支持アームと、
前記支持アームの遠位端部によって支持され、前記出口軸と整列している入れ物であって、前記入れ物の中に受け入れられた入口を有する分配用組立体が、分配用組立体の入口を前記管継手の出口に連結するために位置付けられる、入れ物と
を備えた分配用組立体壁ブラケット。
【手続補正２】
【補正対象書類名】特許請求の範囲
【補正対象項目名】請求項１１
【補正方法】変更
【補正の内容】
【請求項１１】
操作可能な分配用組立体を本質的に垂直な表面に取り付けるための分配用組立体壁ブラケットであって、
垂直表面に固定可能な基部であって、垂直表面と係合可能な少なくとも１つの取付けパッドを有し、前記取付けパッドは、前記基部が垂直表面に固定されると実質的に垂直表面と平行になる平面を画定する、基部と、
前記基部に固定された管継手であって、入口と供給出口と連結用出口とを有し、前記入口は前記平面に実質的に平行な軸を画定し、前記供給出口は前記入口軸と交差する軸を画定する、管継手と、
分配用組立体を前記出口に密封式に連結するために、前記出口に密封式に連結された連結部材と、
前記基部から延在しており、前記出口へのアクセスを可能にするフレーム開口部を画定するフレームを形成する少なくとも２つの支持アームであって、前記支持アームの少なくとも１つは近位端部および遠位端部を有し、前記近位端部は前記基部に固定されている、少なくとも２つの支持アームと、
前記支持アームの遠位端部によって支持され、前記出口軸と整列している入れ物であって、前記入れ物の中に受け入れられた入口を有する分配用組立体が、分配用組立体の入口を前記管継手の出口に連結するために位置付けられる、入れ物と
を備えた分配用組立体壁ブラケット。
【手続補正３】
【補正対象書類名】明細書
【補正対象項目名】０００５
【補正方法】変更
【補正の内容】
【０００５】
本発明の目的は、操作可能な分配用組立体を本質的に垂直な表面に取り付けるための、分配用組立体壁ブラケットを提供することである。
【国際調査報告】
2006507916.tif 000013
2006507916.tif 000014